(57)【要約】【課題】電球型集光式の太陽電池モジュールを提供する。【解決手段】凹状に形成され、太陽光を受けて内側に反射し、その底に第１ホールが形成された反射ミラー部と、反射ミラー部からの光を受けて電気的エネルギーを生成する太陽電池と、第１ホールの下部に前記反射ミラー部に固定されたソケットと、ソケット内で太陽電池に連結されて電力を生産する出力調整部とを具備する電球型集光式の太陽電池モジュールである。太陽電池は、第１ホールの上方に配され、反射ミラー部で反射された光が直接照射される。【選択図】図１
2010028120.tif 000002
【特許請求の範囲】
【請求項１】
凹状に形成され、太陽光を受けて内側に反射し、その底に第１ホールが形成された反射ミラー部と、
前記反射ミラー部からの光を受けて電気的エネルギーを生成する太陽電池と、
前記第１ホールの下部で前記反射ミラー部に固定されたソケットと、
前記ソケット内で前記太陽電池に連結されて電力を生産する出力調整部と、を具備する電球型集光式の太陽電池モジュール。
【請求項２】
前記太陽電池は、前記第１ホールの上方に配され、前記反射ミラー部で反射された光が直接照射されることを特徴とする請求項１に記載の電球型集光式の太陽電池モジュール。
【請求項３】
前記太陽電池は、前記第１ホールの位置に配され、
前記第１ホールの上方に配され、前記反射ミラー部からの光を受けて前記太陽電池に反射させる第２反射ミラーをさらに具備することを特徴とする請求項１に記載の電球型集光式の太陽電池モジュール。
【請求項４】
前記反射ミラー部は、凹状の基板と、前記基板上の熱電セルと、を具備し、
前記熱電セルは、ｐ型スタックとｎ型スタックとを具備し、
前記ｐ型スタックは、前記基板上の第１電極、前記第１電極上のｐ型熱電物質膜、及び前記ｐ型熱電物質膜上の第２電極を具備し、
前記ｎ型スタックは、前記基板上の第１電極、前記第１電極上のｎ型熱電物質膜、及び前記ｎ型熱電物質膜上の第２電極を具備することを特徴とする請求項１から３の何れか一項に記載の電球型集光式の太陽電池モジュール。
【請求項５】
前記熱電セルは、直列に連結された複数の熱電セルであり、
最初の熱電セルのｐ型スタックの第１電極と、最後の熱電セルのｎ型スタックの第１電極は、それぞれ前記出力調整部のｐ型端子及びｎ型端子に連結されることを特徴とする請求項４に記載の電球型集光式の太陽電池モジュール。
【請求項６】
前記反射ミラー部の上部に設けられ、密封された空間を形成する透明カバーと、
前記密封された空間を充填する第１ガスと、をさらに具備し、
前記太陽電池は、複数の単位セルを具備し、各単位セルは、前記反射ミラー部に向かって形成された第３電極と、前記第３電極と対向するように形成された第４電極と、前記第３電極の周囲に前記第３電極と離隔された第５電極とを具備し、前記第１ガスの電子親和度は、前記第３電極の電子親和度より高く、
前記第５電極は、前記第１ガスより電子親和度が高い金属物質であることを特徴とする請求項１から５の何れか一項に記載の電球型集光式の太陽電池モジュール。
【請求項７】
前記第３電極と前記第５電極は、前記出力調整部のｎ型端子に共に連結され、前記第４電極は、前記出力調整部のｐ型端子に連結されることを特徴とする請求項６に記載の電球型集光式の太陽電池モジュール。
【請求項８】
前記反射ミラー部の上部に設けられ、密封された空間を形成する透明カバーと、
前記密封された空間に充填された不活性ガスと、をさらに具備し、
前記太陽電池は、複数の単位セルを具備し、各単位セルは前記反射ミラー部に向かって形成された第３電極と、前記第３電極の向かい側に形成された第４電極と、前記第３電極の表面に吸着されたＣｏＦ４またはＦ４−ＴＣＮＱであるフッ素系分子と、前記第３電極の周囲に前記第３電極と離隔された第５電極とを具備し、
前記第５電極は、前記ＣｏＦ４またはＦ４−ＴＣＮＱであるフッ素系分子より電子親和度が高い金属物質であることを特徴とする請求項１から５の何れか一項に記載の電球型集光式の太陽電池モジュール。
【請求項９】
前記第３電極と前記第５電極は、前記出力調整部のｎ型端子に連結され、前記第４電極は、前記出力調整部のｐ型端子に連結されることを特徴とする請求項８に記載の電球型集光式の太陽電池モジュール。
【請求項１０】
前記第５電極は、Ｐｔ、Ｐｄ、ＴａＮからなるグループのうち、選択されたいずれか１つの金属からなることを特徴とする請求項８または９に記載の電球型集光式の太陽電池モジュール。
【発明の詳細な説明】
【技術分野】
【０００１】
本発明は、電球型集光式の太陽電池モジュールに係り、さらに詳細には、交換しやすく、光電効率の向上した電球型の集光式太陽電池モジュールに関する。
【背景技術】
【０００２】
太陽電池モジュールは、一般的に、直列に連結された複数の光電セル（photovoltaic cell）を具備する。光電セルは、結晶質シリコンまたはポリシリコンを使用する薄膜型と、太陽光を集光して使用する集光式とに分けられる。
【０００３】
集光式太陽電池モジュールは、太陽光を集光し、集積された光を太陽電池（solar cell）に照射するので、光電効率が向上する。集光式太陽電池モジュールは、アレイ状に配され、別途のインバータを介して電力を生産する。１つの集光式太陽電池モジュールが作動しない場合、全体の太陽電池システムの発電効率が低下しうる。また、欠陥のある１つの集光式太陽電池モジュールを交換することも容易ではない。
【０００４】
また、集光式太陽電池モジュールは、光電効率がほぼ３０〜４０％に留まっている。かような光電効率を向上させる技術が必要である。
【発明の概要】
【発明が解決しようとする課題】
【０００５】
本発明の目的は、容易に交換できる電球型集光式の太陽電池モジュールを提供することである。
【０００６】
また、本発明の目的は、集光用に使われる反射膜を利用して電気を生産することによって、太陽電池モジュールの電力効率を向上させることである。
【０００７】
また、本発明の目的は、太陽電池表面での電子の再結合を防止し、太陽電池モジュールの電力効率を向上させることである。
【課題を解決するための手段】
【０００８】
本発明の模範的実施形態による電球型集光式の太陽電池モジュールは、凹状に形成され、太陽光を受けて内側に反射し、その底に第１ホールが形成された反射ミラー部と、前記反射ミラー部からの光を受けて電気的エネルギーを生成する太陽電池と、前記第１ホールの下部に前記反射ミラー部に固定されたソケットと、前記ソケット内で前記太陽電池に連結されて電力を生産する出力調整部とを具備する。
【０００９】
本発明の一局面によれば、前記太陽電池は、前記第１ホールの上方に配され、前記反射ミラー部で反射された光が直接照射される。
【００１０】
本発明の他の局面によれば、前記太陽電池は、前記第１ホールの位置に配され、前記第１ホールの上方に配され、前記反射ミラー部からの光を受けて前記太陽電池に反射させる第２反射ミラーをさらに具備する。
【００１１】
本発明によれば、前記反射ミラー部は、凹状の基板と、前記基板上の熱電セルとを具備し、前記熱電セルは、ｐ型スタックとｎ型スタックとを具備し、前記ｐ型スタックは、前記基板上の第１電極、第１電極上のｐ型熱電物質膜、及び前記ｐ型熱電物質膜上の第２電極を具備し、前記ｎ型スタックは、前記基板上の第１電極、第１電極上のｎ型熱電物質膜、及び前記ｎ型熱電物質膜上の第２電極を具備する。
【００１２】
前記ｐ型スタックの第１電極と前記ｎ型スタックの第１電極は、前記出力調整部のｐ型端子及びｎ型端子にそれぞれ連結される。
【００１３】
本発明によれば、前記熱電セルは、直列に連結された複数の熱電セルであり、最初の熱電セルのｐ型スタックの第１電極と、最後の熱電セルのｎ型スタックの第１電極は、それぞれ前記出力調整部のｐ型端子及びｎ型端子に連結される。
【００１４】
前記ｐ型熱電物質膜は（Ｂｉ，Ｓｂ）２Ｔｅ３、Ｃａ３Ｃｏ４Ｏ９、（Ｂｉ２Ｔｅ３）０．２（Ｓｂ２Ｔｅ３）０．８−ｙ（Ｓｂ２Ｓｅ３）ｙ（０≦ｙ≦０．０７）のうち、選択された少なくともいずれか一つからなり、前記ｎ型熱電物質膜は、Ｂｉ２（Ｔｅ，Ｓｅ）３、ＮｂドープトＳｒＴｉＯ３、ＣａＭｎ０．９８Ｍｏ０．０２Ｏ３、（Ｂｉ２Ｔｅ３）０．９（Ｓｂ２Ｔｅ３）０．０５（Ｓｂ２Ｓｅ３）０．０５のうち、少なくともいずれか１つの物質によって形成される。
【００１５】
本発明によれば、前記ｐ型熱電物質膜及び前記ｎ型熱電物質膜は、それぞれナノワイヤでありうる。
【００１６】
本発明によれば、本発明の太陽電池モジュールは、前記反射ミラー部の上部に設けられ、密封された空間を形成する透明カバーと、前記密封された空間を充填する第１ガスとをさらに具備し、前記太陽電池は、複数の単位セルを具備し、各単位セルは、前記反射ミラー部に向かって形成された第３電極と、前記第３電極と対向するように形成された第４電極と、前記第３電極の周囲に前記第３電極と離隔された第５電極とを具備し、前記第１ガスの電子親和度は、前記第３電極の電子親和度より高く、前記第５電極は、前記第１ガスより電子親和度が高い金属物質によって形成される。
【００１７】
前記第３電極と前記第５電極は、前記出力調整部に共にｎ型端子に連結され、前記第４電極は、前記出力調整部のｐ型端子に連結される。
【００１８】
前記第１ガスは、Ｆ２、Ｃｌ２、Ｉ２のうち、選択された１つのガスから形成されうる。
【００１９】
前記第５電極は、Ｐｔ、Ｐｄ、ＴａＮからなるグループのうち、選択されたいずれか１つの金属から形成されうる。
【００２０】
本発明によれば、本発明の太陽電池モジュールは、前記反射ミラー部の上部に設けられ、密封された空間を形成する透明カバーと、前記密封された空間に充填された不活性ガスとをさらに具備し、前記太陽電池は、複数の単位セルを具備し、各単位セルは、前記反射ミラー部に向かって形成された第３電極と、前記第３電極の向かい側に形成された第４電極と、前記第３電極の表面に吸着されたＣｏＦ４またはＦ４−ＴＣＮＱのであるフッ素系分子と、前記第３電極の周囲に前記第３電極と離隔された第５電極とを具備し、前記第５電極は、前記ＣｏＦ４またはＦ４−ＴＣＮＱのようなフッ素系分子より電子親和度が高い金属物質である。
【発明の効果】
【００２１】
本発明によれば、容易に交換できる電球型集光式の太陽電池モジュールを提供することが可能である。
【００２２】
また、本発明によれば、集光用に使われる反射膜を利用して電気を生産することによって、太陽電池モジュールの電力効率に向上させることが可能である。
【００２３】
また、本発明によれば、太陽電池表面での電子の再結合を防止し、太陽電池モジュールの電力効率に向上させることが可能である。
【図面の簡単な説明】
【００２４】
【図１】本発明の第１実施形態による電球型集光式の太陽電池モジュールの概略的構造を示す断面図である。
【図２】図１の太陽電池モジュールが着脱されるモジュール装着パネルを示す図面である。
【図３】図１の太陽電池の単位セルの一例を示す断面図である。
【図４】図１の太陽電池の単位セル表面での電子の作用を説明する図面である。
【図５】本発明による太陽電池の作用を説明する図面である。
【図６】図１の反射ミラー部の構造の変形例を示す断面図である。
【図７】図１の出力調整部のブロック図の一例を示す図面である。
【図８】本発明の第２実施形態による電球型集光式太陽電池モジュールの断面図である。
【発明を実施するための形態】
【００２５】
以下、添付された図面を参照しつつ、本発明による電球型集光式の太陽電池モジュールの実施形態について説明する。この過程で、図面に図示された層や領域の厚さは、明細書の明確性のために誇張されて図示されている。以下では、同じ構成要素に対して同じ参照番号を使用し、詳細な説明は省略する。
【００２６】
図１は、本発明の第１実施形態による電球型集光式の太陽電池モジュール１００の概略的構造を示す断面図である。
【００２７】
図１を参照すれば、太陽電池モジュール１００は、光を受けて電気的エネルギーを生成する太陽電池１１０と、太陽電池１１０の下部に設けられ、光を受けて太陽電池１１０に集束させる反射ミラー部１２０とを具備する。反射ミラー部１２０は凹状の形状であり、太陽電池１１０は、反射ミラー部１２０で反射された光が集束される位置に配される。
【００２８】
反射ミラー部１２０の底の中央には、第１ホール１２１が形成されている。太陽電池１１０は、第１ホール１２１の上方に配される。反射ミラー部１２０の下部に、第１ホール１２１の孔を塞ぎ込むようにソケット１３０が設けられている。ソケット１３０は、反射ミラー部１２０に固設される。ソケット１３０の内部には、出力調整部１４０が設けられる。出力調整部１４０は、太陽電池１１０からの２つの電極と連結され、直流電流を交流電流に変換するインバータ（図示せず）を具備する。出力調整部１４０には、太陽電池１１０からの電子が流入するｎ型端子１４１と、太陽電池１１０からの正孔が流入するｐ型端子１４２と、外部の負荷または蓄電器に電気を供給する端子１４３とが設けられている。
【００２９】
反射ミラー部１２０の上部には、凸状の透明カバー１５０が設けられる。透明カバー１５０は、反射ミラー部１２０と結合され、内部に密封された空間１５２を形成する。前記密封された空間１５２には、後述するガスが充填されうる。透明カバー１５０は、ガラスまたはプラスチックから形成されうる。
【００３０】
図２は、図１の太陽電池モジュール１００が着脱されるモジュール装着パネル２００を示す図面である。モジュール装着パネル２００には、複数の溝２１０が形成される。複数の溝２１０は、アレイ状に配列されうる。各溝２１０には、図１の太陽電池モジュール１００のソケット１３０が装着されうる。各溝２１０の下部には、出力調整部１４０の端子１４２が貫通されるホール２１２が形成されうる。該ホール２１２の端には、接点２２０が設けられている。該接点２２０を介して、複数の出力調整部１４０からの電力が合わせられ、また、外部の負荷（図示せず）、または蓄電バッテリ（図示せず）に連結されうる。
【００３１】
本発明による太陽電池モジュール１００は電球型であり、必要な電力によって、モジュール装着パネル２００の溝２１０に配される太陽電池モジュール１００の数を調節でき、また、各太陽電池モジュール１００は、機能低下時に容易に交換されうる。
【００３２】
図３は、図１の太陽電池１１０の単位セル１１１の構成の一例を示す断面図である。図３を参照すれば、太陽電池１１０は、複数の単位セル１１１から構成されうる。単位セル１１１は、第１電極１１２及び第２電極１１７と、それらの間に形成された複数の層、例えば３層１１４，１１５，１１６からなる光電層１１３を具備する。第２電極１１７は、光が入射される面に形成され、第１電極１１２は、第２電極１１７と対向する面に形成される。参照番号１１８は、２つの単位セル１１１を直列に連結する導線である。
【００３３】
第１電極１１２及び第２電極１１７は、一般的な電極物質、例えば、アルミニウムなどが使われうる。また、第２電極１１７は、太陽光が透過するようにＩＴＯ（indium tin oxide）のような透明導電性酸化物（ＴＣＯ：transparent conductive oxide）などの透明導電材料によっても形成されうる。
【００３４】
第１電極１１２と接触する第１層１１４と、第２電極１１７と接触する第３層１１６と、第１層１１４及び第３層１１６間の第２層１１５は、半導体物質によって形成される。第３層１１６のバンドギャップが最も大きく、第１層１１４のバンドギャップが最も小さい。そして、第２層１１５のバンドギャップは、第１層１１４のバンドギャップ及び第３層１１６のバンドギャップの中間にある。このように、第３層１１６から第１層１１４に行くほどに、バンドギャップ・エネルギーが小さくなるので、太陽光のうち、第３層１１６のバンドギャップより大きいエネルギーを有する光電子は、第３層１１６のバンドギャップのエネルギーが電気に使われ、余分のエネルギーは熱に転換される。第３層１１６のバンドギャップ・エネルギー未満のエネルギーを有する光電子は、第２層１１５で電気と熱とに転換される。また、第２層１１５のバンドギャップ・エネルギー未満のエネルギーを有する光電子は、第１層１１４で電気及び熱に変換され、第１層１１４のバンドギャップ・エネルギー未満のエネルギーを有する光は、熱に変わる。第１層１１４、第２層１１５、第３層１１６は、それぞれＧｅ、ＧａＡｓ、ＧａＩｎＰから形成され、それらのバンドギャップ・エネルギーは、それぞれ０．７ｅＶ、１．４ｅＶ、１．８ｅＶを有している。
【００３５】
単位セル１１１の光電層は、４層以上の層から形成され、物質層も多様に変更されうる。
【００３６】
太陽電池１１０は、前述のマルチ・ジャンクション・セルに限定されるものではなく、シリコン材質からなるセルでもありうる。
【００３７】
太陽電池１１０は、前述の単位セル１１１が複数個に直列に連結されている。そして、太陽電池１１０の一端の単位セル１１１の第１電極１１２は、出力調整部１４０のｐ型端子１４２に連結され、他端の単位セル１１１の第２電極１１７は、出力調整部１４０のｎ型端子１４１に連結される。
【００３８】
図４は、太陽電池１１０の単位セル１１１の表面での電子の作用について説明する図面である。図４を参照すれば、光が入射される第３層１１６の表面は、多くの光が吸収されるように、ピラミッド状を有する。光電層１１３で形成された電子のうち、第２電極１１７に近接して形成された電子は、第２電極１１７に容易に移動する。しかし、第２電極１１７から離れて生成された電子は、第２電極１１７に移動しているうちに、第３層１１６の表面のコーナーＡで正孔と再結合されて失われ、従って太陽電池１００の発電効率が低下しうる。
【００３９】
本発明の太陽電池１１０の単位セル１１１で、第３層１１６の周囲には、第５電極１６０がさらに設けられる。そして、密封された空間１５２内に、第３層１１６より電子親和度が高い第１ガスを充填しておく。
【００４０】
第５電極１６０は、第１ガスより電子親和度が高い物質によって形成する。第１ガスは、Ｆ２、Ｃｌ２、Ｉ２が使われうる。第５電極１６０としては、Ｐｔ、Ｐｄ、ＴａＮが使われうる。
【００４１】
図５は、本発明による太陽電池の作用について説明する図面である。
【００４２】
図４及び図５を参照すれば、光が単位セル１１１に照射されれば、光電層１１３で電子−正孔対が生成され、電子は第２電極１１７に移動し、正孔は第１電極１１２を介して、出力調整部１４０のｐ型端子１４２に移動する。一方、光電層１１３で第２電極１１７から離れて形成された電子は、第３層１１６の表面に移動する。第３層１１６の表面にある第１ガスＢは、電子親和度が高いために電子を吸収し、従って電子が表面のコーナーＡで再結合されることを防止する。また、第３層１１６の表面から抜け出して第１ガスＢに吸着された電子は、電子親和度が高い第５電極１６０に移動することになる。第５電極１６０に移動した電子は、第５電極１６０に連結された導線によって出力調整部１４０のｎ型端子１４１に移動する。従って、第２電極１１７及び第５電極１６０に移動した電子は、共にｎ型端子１４１に移動する。
【００４３】
図５では、エネルギーバンド・ダイヤグラムをそれぞれ示すために、第１電極１１２を二つに分離したが、実際は、第１電極１１２は一つに形成されうる。
【００４４】
従って、本発明による太陽電池モジュール１００は、太陽電池１１０の表面での電子の再結合を抑制するので、単位セル１１１の電力効率を上昇させる。
【００４５】
一方、第１ガスＢの代わりに、ＣｏＦ４、tetrafluorotetracyanoquinodimethane（Ｆ４−ＴＣＮＱ）のようなフッ素系分子を単位セル１１１の表面、特に、第３層１１６の表面に形成し、空間１５２を真空に維持したり、または不活性ガスを充填しても、前記ガスの効果が現れるが、詳細な説明は省略する。
【００４６】
また、酸化物半導体を太陽電池として使用する場合、第１ガスＢは、Ｏ２でありうる。
【００４７】
図６は、図１の反射ミラー部１２０の構造の変形例を示す断面図である。
【００４８】
図６を参照すれば、反射ミラー部１２０は、凹状の基板１２９と、基板１２９に配された複数の熱電セル１２２とを具備する。各熱電セル１２２は、基板１２９上に形成されたｐ型スタック１２３とｎ型スタック１２４とを具備する。各スタック１２３，１２４は、基板１２９上の第３電極１２５と、第３電極１２５上の熱電物質膜１２７，１２８と、熱電物質膜１２７，１２８上の第４電極１２６とを具備する。ｐ型スタック１２３には、ｐ型熱電物質膜１２７が形成され、ｎ型スタック１２４には、ｎ型熱電物質膜１２８が形成されるので、熱電セル１２２は、Ｐ−Ｎ構造を形成する。基板１２９は、ガラスまたは透明なプラスチックから形成されうる。
【００４９】
熱電セル１２２の各スタック１２３，１２４の第４電極１２６は、互いに連結されて１つの第４電極１２６として形成され、２つの連続する熱電セル１２２のｎ型スタック１２４の第３電極と、連続する熱電セル１２２のｐ型スタック１２３の第３電極は、互いに連結されように、１つの第３電極１２５として形成されることも可能である。
【００５０】
複数の熱電セル１２２の最初の熱電セル１２２のｐ型スタック１２３の下部の第３電極１２５と、最後の熱電セル１２２のｎ型スタック１２４の第３電極１２５は、出力調整部１４０のｐ型端子１４２及びｎ型端子１４１にそれぞれ連結される。
【００５１】
前記ｎ型熱電物質膜１２８は、Ｂｉ２（Ｔｅ，Ｓｅ）３、ＮｂドープトＳｒＴｉＯ３、ＣａＭｎ０．９８Ｍｏ０．０２Ｏ３、（Ｂｉ２Ｔｅ３）０．９（Ｓｂ２Ｔｅ３）０．０５（Ｓｂ２Ｓｅ３）０．０５のうち、少なくともいずれか１つの物質によって形成され、前記ｐ型熱電物質膜１２７は、（Ｂｉ，Ｓｂ）２Ｔｅ３、Ｃａ３Ｃｏ４Ｏ９、（Ｂｉ２Ｔｅ３）０．２（Ｓｂ２Ｔｅ３）０．８−ｙ（Ｓｂ２Ｓｅ３）ｙ（０≦ｙ≦０．０７）のうち、選択された少なくともいずれか一つによって形成されうる。
【００５２】
第４電極１２６は、基板１２９のように凹状に形成され、反射ミラー部１２０の反射面を形成する。
【００５３】
熱電セル１２２は、光を受ければ、ｎ型熱電物質膜１２８では、電子が生成されて第３電極１２５に移動し、ｐ型熱電物質膜１２７では、正孔が第３電極１２５に移動する。複数の熱電セル１２２は、そのセルの数によって、数十ボルトまたは数百ボルトの直流電圧を出力調整部１４０に供給する。
【００５４】
ｐ型熱電物質膜１２７とｎ型熱電物質膜１２８は、それぞれナノワイヤの形態によって形成されることも可能である。
【００５５】
図７は、図１の出力調整部１４０のブロック図の一例を示す図面である。
【００５６】
図７を参照すれば、出力調整部１４０は、最大パワートラッキング回路１４４と、昇圧器１４５と、インバータ１４６とを具備する。
【００５７】
最大パワートラッキング回路１４４は、太陽電池１１０及び熱電セル１１２から直流電流が入力される。最大パワートラッキング回路１４４は、入力される電流から最大の出力電圧が出てくるように抵抗を調節し、最大電圧を出力する。
【００５８】
昇圧器１４５は、最大パワートラッキング回路１４４の直流電圧を所定の直流電圧に昇圧させる。これは、インバータ１４６での直流−交流変化効率を向上させるためである。
【００５９】
インバータ１４６は、入力された直流電圧を交流電圧に変換し、連結される負荷１４７または蓄電バッテリ（図示せず）に電気を供給する。
【００６０】
図８は、本発明の第２実施形態による電球型集光式太陽電池モジュール３００の断面図である。図１の構成要素と実際的に同じ構成要素には、同じ参照番号を使用し、詳細な説明は省略する。
【００６１】
図８を参照すれば、太陽電池モジュール３００の太陽電池１１０は、第１ホール１２１の位置に配され、太陽電池１１０の上方には、第２反射ミラー３１０が配される。第２反射ミラー３１０は、反射ミラー部１２０からの光を受けて太陽電池１１０にさらに送る。第２反射ミラー３１０は、太陽電池１１０に向かって凹状に形成され、小型サイズの太陽電池１１０に照射される太陽光の集積効率を向上させることができる。一方、太陽電池１１０の第３層１１６は、第２反射ミラー１２０に向かうように配される。
【００６２】
本発明は、図面を参照しつつ実施形態を参考にして説明したが、それらは例示的なものに過ぎず、当分野で当業者ならば、それらから多様な変形及び均等な実施形態が可能であるという点を理解することが可能であろう。従って、本発明の真の技術的保護範囲は、特許請求の範囲に限って決まるものである。
【符号の説明】
【００６３】
１００，３００    太陽電池モジュール
１１０    太陽電池
１１１    単位セル
１１２    第１電極
１１３    光電層
１１４    第１層
１１５    第２層
１１６    第３層
１１７    第２電極
１２０    反射ミラー部
１２１    第１ホール
１２２    熱電セル
１２３    ｐ型スタック
１２４    ｎ型スタック
１２５    第３電極
１２６    第４電極
１２７    ｐ型熱電物質膜
１２８    ｎ型熱電物質膜
１２９    基板
１３０    ソケット
１４０    出力調整部
１４１    ｎ型端子
１４２    ｐ型端子
１４３    電気を供給する端子
１４４    最大パワー・トラッキング回路
１４５    昇圧器
１４６    インバータ
１４７    負荷
１５０    透明カバー
１５２    密封された空間
１６０    第５電極
２００    モジュール装着パネル
２１０    溝
２１２    ホール
２２０    接点
３１０    第２反射ミラー
Ａ    コーナー
Ｂ    第１ガス
【図１】
2010028120.tif 000003
【図２】
2010028120.tif 000004
【図３】
2010028120.tif 000005
【図４】
2010028120.tif 000006
【図５】
2010028120.tif 000007
【図６】
2010028120.tif 000008
【図７】
2010028120.tif 000009
【図８】
2010028120.tif 000010